(57)【要約】【課題】  レンズ繰出し機構がネジ機構によって構成されるマクロ撮影用レンズ繰出し装置において、当該ネジ機構部分の操作トルクの適正化が図られ且つ成形時の金型のコスト減も図られたマクロ撮影用レンズ繰出し装置の提供。【解決手段】  繰出しリング８０（レンズユニット７０の筐体）の外径部に形成される多条雄ネジ２１ａを、当該繰出しリング８０を成形する金型の接合部分（Ｂ−Ｂ線）となる部分に形成しないことにより略平坦部７２を形成し、当該略平坦部７２に調整用微少リブ７３を形成することで、多条雄ネジ２１ａと螺合する雌ネジのネジ山と当該リブ７３とを接触させて多条ネジ機構の隙間を一部分で無くし、操作トルクの適正化を図ると共にレンズユニット７０のガタつきを防止する。【選択図】  図７
2006039050.tif 000002
【特許請求の範囲】
【請求項１】
内径部に多条雌ネジが形成された取り付け孔を有するホルダと、当該ホルダの多条雌ネジと螺合させる多条雄ネジが外径部に形成されたレンズユニットとを備えることで、当該レンズユニットを前記ホルダの取り付け孔内で所定角度回動させることにより通常撮影とマクロ撮影の何れか一方を選択可能としたマクロ撮影用レンズ繰出し装置であって、前記レンズユニットの外径部に形成される多条雄ネジのネジ溝に、前記ホルダの多条雌ネジのネジ山と接触させる調整用微少リブを形成したことを特徴とするマクロ撮影用レンズ繰出し装置。
【請求項２】
前記レンズユニットが、内径部に雌ネジが形成された取り付け孔を有し且つ外径部に前記多条雄ネジが形成された繰出しリングと、当該繰出しリングの雌ネジと螺合させる雄ネジが外径部に形成された鏡筒と、によって形成されたことを特徴とする請求項１記載のマクロ撮影用レンズ繰出し装置。
【請求項３】
前記鏡筒の外径部に形成された雄ネジのネジ溝に、前記繰出しリングの雌ネジのネジ山と接触させる調整用微少リブを形成したことを特徴とする請求項２記載のマクロ撮影用レンズ繰出し装置。
【請求項４】
前記調整用微少リブの高さが、前記多条雄ネジ若しくは前記雄ネジのネジ山の高さの４分の１以下となるように前記調整用微少リブが形成されたことを特徴とする請求項１乃至請求項３の何れか１つに記載のマクロ撮影用レンズ繰出し装置。
【請求項５】
前記レンズユニット若しくは前記鏡筒の筐体が分割した成形用金型によって一体成形される請求項１乃至請求項４の何れか１つに記載のマクロ撮影用レンズ繰出し装置であって、少なくとも、前記レンズユニット若しくは前記鏡筒の外径部であって且つ当該レンズユニット若しくは当該鏡筒の筐体を成形する成形用金型の接合部付近となる部分に、前記多条雄ネジ若しくは雄ネジのネジ山を形成しないことにより略平坦部を形成し、当該略平坦部に前記調整用微少リブを形成したことを特徴とするマクロ撮影用レンズ繰出し装置。
【請求項６】
前記略平坦部を、前記レンズユニット若しくは前記鏡筒の軸方向の前記ホルダと対向する側を下側とした場合の上側であって且つ軸方向の略２分の１となる範囲に形成し、当該範囲内に前記調整用微少リブを形成したことを特徴とする請求項５記載のマクロ撮影用レンズ繰出し装置。
【請求項７】
前記略平坦部及び前記調整用微少リブを、前記レンズユニット若しくは前記鏡筒の外周上の３箇所以上に相互の位置が等間隔となるように形成したことを特徴とする請求項５又は請求項６記載のマクロ撮影用レンズ繰出し装置。
【発明の詳細な説明】
【技術分野】
【０００１】
本発明は、光学系機器におけるマクロ撮影用レンズ繰出し装置に関するものであり、特に、レンズ繰出し機構がネジ機構によって構成されるマクロ撮影用レンズ繰出し装置において、当該ネジ機構の操作トルクの調整若しくはガタつきの防止が図られたマクロ撮影用レンズ繰出し装置に関する。
【背景技術】
【０００２】
携帯電話に代表されるカメラ機能を備えた電子機器は、小型化・薄型化が進み、当該電子機器に内蔵されるレンズモジュールも小型化・薄型化の必要に迫られている。このようなレンズモジュールには、通常撮影とマクロ（近接）撮影の切換え機能を有するものがあり、当該切換えは、カム機構によりレンズユニットを光軸に沿って前後に移動させて焦点調整を行うことによって行われるのが一般的である。
【０００３】
カム機構は、回転運動を往復運動（光軸に沿った前後移動）に変換させるものであるが、光軸に沿った前後方向への所定の移動距離を得るための、回転運動の回転角度が大きいものとなると、動作の反応速度の低下や、場合によっては機構の複雑化・大型化（回転部分の部材の駆動範囲が大きくなるため、その部材が移動する範囲の空間を確保する必要が生じる場合がある）を生じさせることとなってしまう。このような問題に対し、カム機構を、多条ネジ機構によって構成することで、回転角度に対して大きな前後方向の移動距離（繰出し量）を得られるようにしたものが存在する。
【０００４】
このような通常撮影とマクロ撮影の切換え機能を有するレンズモジュールの、マクロ撮影用レンズ繰出し装置に関する従来技術が出願人による特許文献１等によって開示されている。
【０００５】
【特許文献１】特開２００３−３３７２７９号公報
【発明の開示】
【発明が解決しようとする課題】
【０００６】
上述したごとく、通常撮影とマクロ撮影の切換えのためのカム機構を、多条ネジ機構によって構成することが知られているが、ネジ機構であるため雄ネジと雌ネジとの間には、回転動作を円滑にするための一定の隙間を備える必要がある。この隙間による遊びが大きすぎるとレンズユニットが不安定（隙間によるガタつきによりレンズユニットの光軸がずれてしまうおそれがある）となり、遊びが小さすぎると、回転動作の円滑性が損なわれることとなってしまうが、このようなネジ機構の操作トルクの適正化を雄ネジと雌ネジとの間の隙間（遊び）の調整のみによって正確に行うことは困難なものであると共に、隙間の調整はすなわち成形用金型の調整若しくは造り直しを要するものであり、時間およびコストのかかるものであった。
【０００７】
また、レンズユニットの筐体は射出成形により一体成形されるのが通常であるが、外周部に形成される多条雄ネジのネジ山はリードに応じた角度で傾斜しているため、金型構造としてアンダーカットを発生させ、金型のコストアップにつながるものであった。
【０００８】
本発明は上記した問題に鑑み、レンズ繰出し機構がネジ機構によって構成されるマクロ撮影用レンズ繰出し装置において、当該ネジ機構部分の操作トルクの適正化が図られ且つ成形用の金型のコスト減も図られたマクロ撮影用レンズ繰出し装置を提供することを目的とする。
【課題を解決するための手段】
【０００９】
請求項１記載のマクロ撮影用レンズ繰出し装置は、内径部に多条雌ネジが形成された取り付け孔を有するホルダと、当該ホルダの多条雌ネジと螺合させる多条雄ネジが外径部に形成されたレンズユニットとを備えることで、当該レンズユニットを前記ホルダの取り付け孔内で所定角度回動させることにより通常撮影とマクロ撮影の何れか一方を選択可能としたマクロ撮影用レンズ繰出し装置であって、前記レンズユニットの外径部に形成される多条雄ネジのネジ溝に、前記ホルダの多条雌ネジのネジ山と接触させる調整用微少リブを形成したことを特徴とする。
【００１０】
上記構成によれば、レンズユニットの外径部に形成される多条雄ネジのネジ溝に形成された調整用微少リブが、ホルダの取り付け孔内径部に形成された多条雌ネジのネジ山と接触することにより、レンズユニットとホルダとの間で所定の摩擦抵抗が生じると共にガタつきが抑止される。
【００１１】
請求項２記載のマクロ撮影用レンズ繰出し装置は、請求項１記載のマクロ撮影用レンズ繰出し装置であって、前記レンズユニットが、内径部に雌ネジが形成された取り付け孔を有し且つ外径部に前記多条雄ネジが形成された繰出しリングと、当該繰出しリングの雌ネジと螺合させる雄ネジが外径部に形成された鏡筒と、によって形成されたことを特徴とする。
【００１２】
請求項３記載のマクロ撮影用レンズ繰出し装置は、請求項２記載のマクロ撮影用レンズ繰出し装置であって、前記鏡筒の外径部に形成された雄ネジのネジ溝に、前記繰出しリングの雌ネジのネジ山と接触させる調整用微少リブを形成したことを特徴とする。
【００１３】
上記構成によれば、鏡筒の外径部に形成される雄ネジのネジ溝に形成された調整用微少リブが、繰出しリングの取り付け孔内径部に形成された雌ネジのネジ山と接触することにより、鏡筒と繰出しリングとの間で所定の摩擦抵抗が生じると共にガタつきが抑止される。
【００１４】
請求項４記載のマクロ撮影用レンズ繰出し装置は、請求項１乃至請求項３の何れか１つに記載のマクロ撮影用レンズ繰出し装置であって、前記調整用微少リブの高さが、前記多条雄ネジ若しくは前記雄ネジのネジ山の高さの４分の１以下となるように前記調整用微少リブが形成されたことを特徴とする。
【００１５】
請求項５記載のマクロ撮影用レンズ繰出し装置は、前記レンズユニット若しくは前記鏡筒の筐体が分割した成形用金型によって一体成形される請求項１乃至請求項４の何れか１つに記載のマクロ撮影用レンズ繰出し装置であって、少なくとも、前記レンズユニット若しくは前記鏡筒の外径部であって且つ当該レンズユニット若しくは当該鏡筒の筐体を成形する成形用金型の接合部付近となる部分に、前記多条雄ネジ若しくは雄ネジのネジ山を形成しないことにより略平坦部を形成し、当該略平坦部に前記調整用微少リブを形成したことを特徴とする。
【００１６】
上記構成によれば、成形用金型の接合部付近となる部分に略平坦部が形成され、当該部分にネジ山が形成されないため、金型構造におけるアンダーカット部分が減少する。
【００１７】
請求項６記載のマクロ撮影用レンズ繰出し装置は、請求項５記載のマクロ撮影用レンズ繰出し装置であって、前記略平坦部を、前記レンズユニット若しくは前記鏡筒の軸方向の前記ホルダと対向する側を下側とした場合の上側であって且つ軸方向の略２分の１となる範囲に形成し、当該範囲内に前記調整用微少リブを形成したことを特徴とする。
【００１８】
上記構成によれば、レンズユニット（若しくは鏡筒）の軸方向のホルダ（若しくは繰出しリング）と対向する側（すなわち、レンズユニット（若しくは鏡筒）をホルダ（若しくは繰出しリング）に組付ける際に最初にねじ込む部分）においては、略平坦部がなく、多条雄ネジ（若しくは雄ネジ）のネジ山が連続して形成される。
【００１９】
請求項７記載のマクロ撮影用レンズ繰出し装置は、請求項５又は請求項６記載のマクロ撮影用レンズ繰出し装置であって、前記略平坦部及び前記調整用微少リブを、隣り合うリブと前記レンズユニット若しくは前記鏡筒の外周上の３箇所以上に相互の位置が等間隔となるように形成したことを特徴とする。
【発明の効果】
【００２０】
本発明の請求項１の、内径部に多条雌ネジが形成された取り付け孔を有するホルダと、当該ホルダの多条雌ネジと螺合させる多条雄ネジが外径部に形成されたレンズユニットとを備えることで、当該レンズユニットを前記ホルダの取り付け孔内で所定角度回動させることにより通常撮影とマクロ撮影の何れか一方を選択可能としたマクロ撮影用レンズ繰出し装置であって、前記レンズユニットの外径部に形成される多条雄ネジのネジ溝に、前記ホルダの多条雌ネジのネジ山と接触させる調整用微少リブを形成したことを特徴とするマクロ撮影用レンズ繰出し装置によれば、レンズユニットの外径部に形成される多条雄ネジのネジ溝に形成された調整用微少リブが、ホルダの取り付け孔内径部に形成された多条雌ネジのネジ山と接触することにより、レンズユニットのホルダに対するガタつきが抑止されるため、光軸がずれるおそれを低減させることができる。また、調整用微少リブの高さ・幅などの形状・位置及び数などを適宜調整することによって、レンズユニットとホルダとの間に生じる摩擦抵抗を調整することができるため、レンズユニットのホルダに対する操作トルクを調整することが可能となる。
【００２１】
本発明の請求項２の、前記レンズユニットが、内径部に雌ネジが形成された取り付け孔を有し且つ外径部に前記多条雄ネジが形成された繰出しリングと、当該繰出しリングの雌ネジと螺合させる雄ネジが外径部に形成された鏡筒と、によって形成されたことを特徴とする請求項１記載のマクロ撮影用レンズ繰出し装置によれば、鏡筒の光軸方向の位置を精度よく調整することができる。すなわち、レンズユニットをホルダに組付けた状態において、鏡筒を回動させることにより、焦点調整を精度よく行うことができるのである。
【００２２】
本発明の請求項４の、前記調整用微少リブの高さが、前記多条雄ネジ若しくは前記雄ネジのネジ山の高さの４分の１以下となるように前記調整用微少リブが形成されたことを特徴とする請求項１乃至請求項３の何れか１つに記載のマクロ撮影用レンズ繰出し装置によれば、レンズユニット（若しくは鏡筒）のホルダ（若しくは繰出しリング）に対する操作トルクをより確実に調節することができる。すなわち、レンズユニット（若しくは鏡筒）の外径部に形成される多条雄ネジ（若しくは雄ネジ）とホルダ（若しくは繰出しリング）の取り付け孔内径部に形成される多条雌ネジ（若しくは雌ネジ）との間に形成される隙間（ネジ機構の回動を円滑にするための隙間）は、ネジ山の形状にも左右されるが、ネジ山の高さの４分の１以下となるのが一般的であるため、調整用微少リブの高さを、ネジ山の高さの４分の１以下とすることで、レンズユニット（若しくは鏡筒）とホルダ（若しくは繰出しリング）との間に生じる摩擦抵抗を適正に調整することができ、レンズユニット（若しくは鏡筒）のホルダ（若しくは繰出しリング）に対する操作トルクをより確実に調節することができるのである。
【００２３】
本発明の請求項５の、前記レンズユニット若しくは前記鏡筒の筐体が分割した成形用金型によって一体成形される請求項１乃至請求項４の何れか１つに記載のマクロ撮影用レンズ繰出し装置であって、少なくとも、前記レンズユニット若しくは前記鏡筒の外径部であって且つ当該レンズユニット若しくは当該鏡筒の筐体を成形する成形用金型の接合部付近となる部分に、前記多条雄ネジ若しくは雄ネジのネジ山を形成しないことにより略平坦部を形成し、当該略平坦部に前記調整用微少リブを形成したことを特徴とするマクロ撮影用レンズ繰出し装置によれば、成形用金型の接合部付近となる部分にネジ山が形成されないため、金型構造におけるアンダーカット部分が減少する。すなわち、多条ネジ（若しくは１条ネジ）のネジ山はレンズユニット（若しくは鏡筒）の外周の全周にわたり形成され且つ、レンズユニット（若しくは鏡筒）に対して傾斜（ネジリード角）して形成されるため、金型の接合部付近においてアンダーカットが最も顕著（ネジ構造部に関しては）となるが、本請求項のマクロ撮影用レンズ繰出し装置では、当該部分にネジ山が形成されないため、アンダーカット部分が減少し、金型のコスト削減及び成形工程の簡略化も図られるのである。
【００２４】
本発明の請求項６の、前記略平坦部を、前記レンズユニット若しくは前記鏡筒の軸方向の前記ホルダと対向する側を下側とした場合の上側であって且つ軸方向の略２分の１となる範囲に形成し、当該範囲内に前記調整用微少リブを形成したことを特徴とする請求項５記載のマクロ撮影用レンズ繰出し装置によれば、レンズユニット（若しくは鏡筒）の軸方向のホルダ（若しくは繰出しリング）と対向する側（すなわち、レンズユニット（若しくは鏡筒）をホルダ（若しくは繰出しリング）に組付ける際に最初にねじ込む部分）においては、略平坦部がなく、ネジ山が連続して形成されるため、レンズユニット（若しくは鏡筒）をホルダ（若しくは繰出しリング）に組付ける際に確実に作業を行うことができる。すなわち、レンズユニット（若しくは鏡筒）をホルダ（若しくは繰出しリング）に組付ける際に最初にねじ込む部分において略平坦部を形成することによりネジ山が断続的になると、レンズユニット（若しくは鏡筒）をホルダ（若しくは繰出しリング）に組付ける作業時に若干不安定となり、レンズユニット（若しくは鏡筒）がホルダ（若しくは繰出しリング）に対して傾いて入ってしまうことが生じ得るためこれを防止させるものである。
【００２５】
本発明の請求項７の、前記略平坦部及び前記調整用微少リブを、隣り合うリブと前記レンズユニット若しくは前記鏡筒の外周上の３箇所以上に相互の位置が等間隔となるように形成したことを特徴とする請求項５又は請求項６記載のマクロ撮影用レンズ繰出し装置によれば、調整用微少リブが、レンズユニット（若しくは鏡筒）の外周上に均等に３箇所以上形成されるため、より確実に光軸のずれを防止することができる。
【発明を実施するための最良の形態】
【００２６】
以下、本発明の具体的実施例について、図面を参照しながら説明する。なお、以下の実施態様は、本発明を具体化する際の一形態であって、本発明をその範囲内に限定するためのものではない。
【実施例１】
【００２７】
図１は本実施例のマクロ撮影用レンズ繰出し装置の概略を示す分解斜視図であり、図２は同断面概略図である。図３はレンズユニットの外形の概略を示す図であり、ａ：斜視図、ｂ：底面図、ｃ：断面図である。
【００２８】
本実施例のマクロ撮影用レンズ繰出し装置１は、ＣＣＤ等の撮像素子５０が組込まれたホルダ１０、レンズ群が組込まれたレンズユニット２０、ホルダ１０に組み付けられるレンズユニット２０のガタつきを防止するための弾性体３０、操作ノブ４０等から構成される。ホルダ１０は、レンズユニット２０を組付けるための取り付け孔１１を備え、当該取り付け孔１１の内径部には多条雌ネジ１１ａが形成される。レンズユニット２０には、外径部に、多条雌ネジ１１ａと螺合させる多条雄ネジ２１ａが形成されると共に、操作ノブ４０を係止するための係止フック２２等が形成される。マクロ撮影用レンズ繰出し装置１は、撮像素子５０が組込まれたホルダ１０の取り付け孔１１に、弾性体３０が組みつけられた上でレンズユニット２０が螺合され、レンズユニット２０に操作ノブ４０が取り付けられることによって形成される。
【００２９】
操作ノブ４０及びホルダ１０にはストッパが形成され、マクロ撮影用レンズ繰出し装置１は、操作ノブ４０のストッパ４５とホルダ１０のストッパ１５とが当接する位置において通常撮影焦点距離が得られように構成され、この位置から操作ノブ４０を回動させることで、多条ネジ機構（多条雌ネジ１１ａ及び多条雄ネジ２１ａ）によりレンズユニット２０が光軸方向の撮像素子５０から離れる方向に移動し、操作ノブ４０のストッパ４５とホルダ１０のストッパ１６とが当接する位置においてマクロ撮影焦点距離が得られるようになる。
【００３０】
次に本発明の要旨である、レンズユニット２０の外径部に備えられる多条雄ネジ２１ａのネジ溝部分に形成される調整用微少リブについて図２、図３及び図４を参照しつつ説明する。なお、図３ｃは図３ｂのＡ―Ａ線に沿った断面図であり、図３ｂ１は、図３ｂの調整用微少リブ２３が形成されている部分を拡大した図（図中のｌはネジ山の稜線であり、ｍは谷線である。）であり、図３ｃ１は、図３ｃの多条雄ネジ２１ａ部分であって調整用微少リブ２３が形成されている部分を拡大した図である。図４はレンズユニット２０の多条雄ネジ２１ａが備えられる径部を展開した概略図であり、図中の斜線ｌは、多条雄ネジ２１ａのネジ山の稜線を示したものである。調整用微少リブ（以下単にリブ）２３は図３ｂ及び図４に示されるように、隣り合うリブ２３と外周がつくる弧の中心角θが１２０度となるように、外周上の均等な３箇所の位置に形成される。なお、図３ｂ１及び図３ｃ１などにおいては理解の容易のために誇張して示しているが（実際の縮尺通りとするとリブ２３が小さすぎて認識し難いため）、リブ２３の高さは多条雌ネジ１１ａの山径と接触するようにネジ山の高さの略４分の１の高さで形成される。
【００３１】
図２のａは、レンズユニット２０の多条雄ネジ２１ａと、ホルダ１０の取り付け孔１１の内径部に形成された多条雌ネジ１１ａと、が螺合されている部分を拡大した図であり、図２ｂは、同螺合部分であって、リブ２３が形成されている部分を示す拡大図である（本図においても理解の容易のため一部誇張して示している）。図２ａに示されるように、多条雌ネジ１１ａと多条雄ネジ２１ａとの間には、回転動作を円滑にするための一定の隙間ｓが設けられているが、図２ｂに示されるように、リブ２３が形成されている部分においては、リブ２３とホルダ１０に備えられる多条雌ネジ１１ａのネジ山とが接した状態となる。
【００３２】
マクロ撮影用レンズ繰出し装置１には弾性体３０が備えられるため、光軸方向のホルダ１０に対するレンズユニット２０側（以下単に上側とする）にレンズユニット２０が付勢され、図２ａに示されるように、レンズユニット２０に備えられる多条雄ネジ２１ａのネジ山の上面側と、ホルダ１０に備えられる多条雌ネジ１１ａのネジ山の下面側と、が接して係止される構成となっている。このような構成とすることにより、隙間ｓを原因とする光軸方向へのガタつきが抑制され、光軸方向と直行する方向（以下単に水平方向とする）のガタつき（光軸のずれ）もネジ山のテーパにより、ある程度抑制・矯正されるものであるが、本実施例のマクロ撮影用レンズ繰出し装置１によれば、レンズユニット２０の外径部に形成される多条雄ネジ２１ａのネジ溝に形成されたリブ２３が、ホルダ１０の取り付け孔１１内径部に形成された多条雌ネジ１１ａのネジ山と接触するため、より効果的にレンズユニット２０のホルダ１０に対するガタつき（ホルダ１０に組込まれた撮像素子５０に対するレンズユニット２０の位置の「ずれ」）が抑止され、光軸がずれるおそれを低減させることができるのである。また、リブ２３の高さ・幅などの形状及び位置や数を適宜調整することによって、レンズユニット２０とホルダ１０との間に生じる摩擦抵抗を調整することができるため、レンズユニット２０のホルダ１０に対する操作トルクを適宜調整することが可能となる。
【００３３】
なお、本実施例ではリブ２３を外周上の３箇所に相互の位置が等間隔となるように形成するものとしたが、本発明をこれに限るものではなく、任意の箇所に設けることができる。従って、リブ２３を外周上の１箇所のみに形成することでも、レンズユニット２０のホルダ１０に対する操作トルクの適正化及びガタつき防止の効果を得られるが、光軸のセンタリングを考慮すると、３箇所以上に互いの位置関係が均等となるように形成することが望ましい。
【実施例２】
【００３４】
図５は本実施例のマクロ撮影用レンズ繰出し装置の概略を示す分解斜視図であり、図６は同断面概略図である。図７はレンズユニットの外形の概略を示す図であり、ａ：斜視図、ｂ：底面図、ｃ：断面図である。なお、実施例１と同様の構成要素には実施例１と同一の符号を使用し、ここでの説明を省略する。また、実施例１と同様に、リブやネジ山・谷といった実際の寸法が小さいものはそのままの縮尺（拡大）とすると図面では認識しづらいため、一部を誇張した概念図とする。
【００３５】
図５及び図７ａに示されるように、レンズユニット７０は、内径部に雌ネジ８１ａが形成された取り付け孔８１を有し且つ外径部に多条雄ネジ２１ａが形成された繰出しリング８０と、当該繰出しリング８０の雌ネジ８１ａと螺合させる雄ネジ９１ａが外径部に形成された鏡筒９０とによって構成される。このような構成により、マクロ撮影用レンズ繰出し装置２を組み上げた状態（図６の状態）で鏡筒９０を回動させることにより、焦点距離（撮像素子５０に対する鏡筒９０の光軸方向の位置）の調整を高い精度で行うことができる。
【００３６】
次に、繰出しリング８０（レンズユニット７０）の外径部に形成される略平坦部及び、当該略平坦部に形成される調整用微少リブについて図７及び図８を参照しつつ説明する。なお、図７ｃは図７ｂのＢ―Ｂ線に沿った断面図であり、図７ｂ１は、図７ｂの略平坦部７２及びリブ７３が形成されている部分を拡大した図（図中のｌはネジ山の稜線であり、ｍは谷線、ｎはネジ谷の外周とＢ―Ｂ線との交点における接線である。）であり、図７ｃ１は、図７ｃの多条雄ネジ２１ａ部分であって略平坦部７２及びリブ７３が形成されている部分を拡大した図である。図８はレンズユニット７０の多条雄ネジ２１ａが備えられる径部を展開した概略図であり、図中の斜線ｌは、多条雄ネジ２１ａのネジ山の稜線を示したものである。レンズユニット７０の筐体を構成する繰出しリング８０は、大まかに２分割される成形用金型によって一体成形され、図７ｂのＢ―Ｂ線が当該成形用金型の接合部分となる。図７ｂに示されるように略平坦部７２は、隣り合う略平坦部７２と外周がつくる弧の中心角φが直角となるように、繰出しリング８０の外周上の４箇所に形成され、略平坦部７２が成形用金型の接合部分に位置するように形成される。さらに、図７ｂ１に示されるように、接線ｎと多条雄ネジ２１ａのネジ山とが交差することがないように略平坦部７２は形成される。図８に示されるように、当該略平坦部７２が形成されることで、多条雄ネジ２１ａのネジ山は断続したものとなる。図７ｂ及び図８に示されるように、リブ７３は、略平坦部７２に形成され、図ではリブの大きさが誇張されているが、リブ７３の高さは多条雌ネジ１１ａの山径と接触するようにネジ山の高さの略４分の１の高さで形成される。
【００３７】
図６のａは、繰出しリング８０（レンズユニット７０）の多条雄ネジ２１ａと、ホルダ１０の取り付け孔１１の内径部に形成された多条雌ネジ１１ａと、が螺合されている部分を拡大した図であり、図６ｂは、同螺合部分であって、略平坦部７２にリブ７３が形成されている部分を示す断面拡大図である。図６ａに示されるように、多条雌ネジ１１ａと多条雄ネジ２１ａとの間には、回転動作を円滑にするための一定の隙間ｓが設けられているが、図６ｂに示されるように、リブ７３が形成されている部分においては、リブ７３とホルダ１０に備えられる多条雌ネジ１１ａのネジ山とが接した状態となる。従って、レンズユニット７０のホルダ１０に対する操作トルクを適宜調整できると共に、効果的にレンズユニット７０のホルダ１０に対するガタつき（ホルダ１０に組込まれた撮像素子５０に対するレンズユニット７０の位置の「ずれ」）が抑止され、光軸がずれるおそれを低減させることができるのである。
【００３８】
また、略平坦部７２ａ・ｂが、成形用金型の接合部（図７ｂのＢ―Ｂ線）付近となる部分に、接線ｎと多条雄ネジ２１ａのネジ山とが交差することがないように形成されることにより、当該部分にネジ山が形成されないため、金型構造におけるアンダーカット部分が減少する。すなわち、多条ネジ雄２１ａのネジ山は、レンズユニット７０（繰出しリング８０）に対して傾斜して形成されるため、金型の接合部付近においてアンダーカットが最も顕著（ネジ構造部に関しては）となるが、本実施例によれば、当該部分（略平坦部７２ａ・ｂ）にネジ山が形成されないため、アンダーカット部分が減少し、金型のコスト削減及び成形工程の簡略化も図られるのである。
【実施例３】
【００３９】
図９は本実施例のレンズユニットの外形の概略を示す図であり、ａ：斜視図、ｂ：底面図、ｃ：断面図である。図１０は同レンズユニットの多条雄ネジ２１ａが備えられる径部を展開した概略図である。なお、本実施例のマクロ撮影用レンズ繰出し装置を構成するホルダ１０、弾性体３０、操作ノブ４０等は実施例１及び実施例２と同様であるため、同一の符号を使用し、ここでの説明を省略し、本実施例の説明に際し必要があるときは図１や図５等を参照して説明する。また、リブやネジ山・谷といった実際の寸法が小さいものはそのままの縮尺（拡大）とすると図面では認識しづらいため、一部を誇張した概念図としているのも同様である。
【００４０】
レンズユニット１００の筐体を構成する繰出しリング８０は、大まかに２分割される成形用金型によって一体成形され、図９ｂのＣ―Ｃ線が当該成形用金型の接合部分となる。図９ｂに示されるように略平坦部１０２は、隣り合う略平坦部１０２と外周がつくる弧の中心角φが直角となるように、繰出しリング８０の外周上の４箇所に形成され、且つ、略平坦部１０２が成形用金型の接合部分に位置するように形成される。また、図１０に示されるように、略平坦部１０２は、レンズユニット１００の軸方向のホルダ１０と対向する側を下側とした場合の上側であって且つ軸方向の略２分の１となる範囲に形成され、リブ１０３は、当該略平坦部１０２に形成される。従って、レンズユニット１００の下側（すなわち、レンズユニット１００をホルダ１０に組付ける際に最初にねじ込む部分）においては、略平坦部がなく、ネジ山が連続して形成されるため、レンズユニット１００をホルダ１０に組付ける際に確実に作業を行うことができる。すなわち、レンズユニット１００をホルダ１０に組付ける際に最初にねじ込む部分において略平坦部１０２を形成することによりネジ山が断続的になると、レンズユニット１００をホルダ１０に組付ける際に若干不安定となり、レンズユニット１００がホルダ１０に対して傾いて入ってしまうことが生じ得るが、本実施例によれば、レンズユニット１００を最初にねじ込む部分においてネジ山が連続して形成されているため、レンズユニット１００をホルダ１０に組付ける際に確実に作業を行うことができるのである。
【００４１】
また、レンズユニット１００の筐体は樹脂によって成形されることが一般的であり耐磨耗性に優れるものではないため、最初にねじ込む部分（レンズユニット１００の下側）にリブ１０３を形成しても、当該部分はホルダ１０の多条雌ネジ１１ａのネジ山のほぼ全長にわたり接触しながらねじ込まれることとなり、ネジ山との長い距離の接触により磨耗・変形し、リブ１０３に「スジ」（凹み）ができてしまい、本来の操作トルクの適正化及びガタつき防止の機能が弱められるため、当該部分（レンズユニット１００の下側）には調整用微少リブ１０３を形成しないことで、徒に形状を複雑化することを防止している。
【００４２】
図１１は本実施例の鏡筒１１０の外形の概略を示す図であり、ａ：斜視図、ｂ：底面図、ｃ：断面図である。図１２は同鏡筒の雄ネジ１１１ａが備えられる外径部を展開した概略図である。なお、図１１ｃは図１１ｂのＤ―Ｄ線に沿った断面図であり、図１１ｂ１は、図１１ｂの略平坦部１１２及びリブ１１３が形成されている部分を拡大した図（図中のｌはネジ山の稜線であり、ｍは谷線、ｎはネジ谷の外周とＤ―Ｄ線との交点における接線である。）であり、図１１ｃ１は、図１１ｃの雄ネジ１１１ａ部分であって略平坦部１１２及びリブ１１３が形成されている部分を拡大した図である。
【００４３】
鏡筒１１０の筐体は、大まかに２分割される成形用金型によって一体成形され、図１１ｂのＤ―Ｄ線が当該成形用金型の接合部分となる。図１１ｂに示されるように略平坦部１１２が、隣り合う略平坦部１１２と外周がつくる弧の中心角φが直角となるように、外周上の４箇所に形成され、略平坦部１１２が成形用金型の接合部分に位置するように形成される。さらに、図１１ｂ１に示されるように、接線ｎと雄ネジ１１１ａのネジ山とが交差することがないように略平坦部１１２は形成される。また、図１１及び図１２に示されるように、略平坦部１１２は、鏡筒１１０の軸方向のホルダ１０と対向する側を下側とした場合の上側であって且つ軸方向の略２分の１となる範囲に形成され、リブ１１３は、当該略平坦部１１２に形成される。従って、鏡筒１１０の下側（すなわち、鏡筒１１０を繰り出しリング８０に組付ける際に最初にねじ込む部分）においては、略平坦部がなく、雄ネジ１１１ａのネジ山が連続して形成される。当該略平坦部１１２が鏡筒１１０の下側に形成されないこと及びリブ１１３が形成されることによって鏡筒１１０と繰り出しリング８０との間で得られる効果は、上述してきたレンズユニットとホルダとの間で得られる効果と同様である。
【００４４】
なお、本実施例では、繰出しリング８０（若しくは鏡筒１１０）の外周上の４箇所に形成された略平坦部１０２（略平坦部１１２）の範囲内のみにリブ１０３（リブ１１３）を形成することとしたが、本発明をこれに限るものではなく、例えば、隣り合う略平坦部１０２（略平坦部１１２）の中間部分のネジ溝部分にそれぞれリブ１０３（リブ１１３）を形成するようにしてもよい。
【図面の簡単な説明】
【００４５】
【図１】実施例１のマクロ撮影用レンズ繰出し装置の概略を示す分解斜視図
【図２】実施例１のマクロ撮影用レンズ繰出し装置の概略を示す断面図
【図３】実施例１のレンズユニットの外形の概略を示す図であり、ａ：斜視図、ｂ：底面図、ｃ：断面図
【図４】実施例１の多条雄ネジ部分を展開した概略図
【図５】実施例２のマクロ撮影用レンズ繰出し装置の概略を示す分解斜視図
【図６】実施例２のマクロ撮影用レンズ繰出し装置の概略を示す断面図
【図７】実施例２のレンズユニットの外形の概略を示す図であり、ａ：斜視図、ｂ：底面図、ｃ：断面図
【図８】実施例２の多条雄ネジ部分を展開した概略図
【図９】実施例３のレンズユニットの外形の概略を示す図であり、ａ：斜視図、ｂ：底面図、ｃ：断面図
【図１０】実施例３の多条雄ネジ部分を展開した概略図
【図１１】実施例３の鏡筒の外形の概略を示す図であり、ａ：斜視図、ｂ：底面図、ｃ：断面図
【図１２】実施例３の鏡筒の雄ネジ部分を展開した概略図
【符号の説明】
【００４６】
１・２  マクロ撮影用レンズ繰出し装置
１０    ホルダ
１１    取り付け孔
１１ａ  多条雌ネジ
２０・７０・１００  レンズユニット
２１ａ  多条雄ネジ
２３・７３・１０３  調整用微少リブ
５０    撮像素子
７２・１０２  略平坦部
８０    繰出しリング
８１    取り付け孔
８１ａ  雌ネジ
９０・１１０    鏡筒
９１ａ・１１１ａ  雄ネジ
１１２    略平坦部
１１３    調整用微少リブ
ｌ      ネジ山の稜線
ｍ      ネジ溝の谷底線
【図１】
2006039050.tif 000003
【図２】
2006039050.tif 000004
【図３】
2006039050.tif 000005
【図４】
2006039050.tif 000006
【図５】
2006039050.tif 000007
【図６】
2006039050.tif 000008
【図７】
2006039050.tif 000009
【図８】
2006039050.tif 000010
【図９】
2006039050.tif 000011
【図１０】
2006039050.tif 000012
【図１１】
2006039050.tif 000013
【図１２】
2006039050.tif 000014